(57)【要約】【課題】ＡＭ信号受信とＦＭ信号受信の切替を、ＦＭ放送信号レベルの自動制御回路を兼ねたＦＭ信号用可変減衰回路５を用いて行っているので、全体的な回路規模が大きくならず、小型化が可能なＡＭ及びＦＭ放送受信回路を提供する。【解決手段】共用アンテナ１で受信したＦＭ放送信号を処理して復調信号を形成するＦＭチューナ回路７と、前記共用アンテナ１で受信したＡＭ放送信号を処理して復調信号を形成するＡＭチューナ回路４と、ＦＭチューナ回路７の前段側に接続された信号減衰回路５と、信号減衰回路５の信号減衰量を制御するとともに、ＦＭチューナ回路７またはＡＭチューナ回路４の動作非動作状態を切替える制御回路８とを備え、制御回路８は、ＦＭチューナ回路７が動作状態にあるとき、ＦＭチューナ回路７に入力されるＦＭ放送信号の信号強度が所定強度になるように信号減衰回路５の信号減衰量を自動制御し、ＡＭチューナ回路４が動作状態にあるとき、信号減衰回路５の信号減衰量が最大になるように制御する。【選択図】図１
2007288500.tif 000002
【特許請求の範囲】
【請求項１】
共用アンテナで受信したＦＭ放送信号を処理して復調信号を形成するＦＭチューナ回路と、前記共用アンテナで受信したＡＭ放送信号を処理して復調信号を形成するＡＭチューナ回路と、前記ＦＭチューナ回路の前段側に接続された信号減衰回路と、前記信号減衰回路の信号減衰量を制御するとともに、前記ＦＭチューナ回路または前記ＡＭチューナ回路の動作非動作状態を切替える制御回路とを備え、前記制御回路は、前記ＦＭチューナ回路が動作状態にあるとき、前記ＦＭチューナ回路に入力されるＦＭ放送信号の信号強度が所定強度になるように前記信号減衰回路の信号減衰量を自動制御し、また、前記ＡＭチューナ回路が動作状態にあるとき、前記信号減衰回路の信号減衰量が最大になるように制御することを特徴とするＦＭ及びＡＭ放送受信回路。
【請求項２】
前記制御回路は、前記ＦＭチューナ回路が動作状態にあるとき、前記ＦＭチューナ回路の復調信号を整流平滑して得られた自動利得制御電圧を前記信号減衰回路に制御信号として供給し、前記ＡＭチューナ回路が動作状態にあるとき、電源電圧を前記信号減衰回路に制御信号として供給することを特徴とする請求項１に記載のＦＭ及びＡＭ放送受信回路。
【請求項３】
前記信号減衰回路は、ＦＭ放送信号の伝送経路と高周波的接地点との間に接続されたＰＩＮダイオードと前記ＰＩＮダイオードに制御電圧を供給する制御電圧供給回路とからなることを特徴とする請求項１に記載のＦＭ及びＡＭ放送受信回路。
【発明の詳細な説明】
【技術分野】
【０００１】
本発明は、ＡＭ及びＦＭ放送受信回路に係り、特に、ＦＭチューナ回路とＡＭチューナ回路とを選択的に切替えて動作させる際に、簡単な構成手段を用いて動作の切替を行うことを可能にしたＡＭ及びＦＭ放送受信回路に関する。
【背景技術】
【０００２】
従来、共用アンテナで受信した受信信号を分岐して２つのチューナ回路に供給する際に、２つのチューナ回路の中のいずれか一方を動作状態に、他方を非動作状態に切替使用する放送受信回路が知られており、その中の１つに、特開２００１−３２０２９５号公報に開示のチューナ、この場合はテレビジョンチューナがある。
【０００３】
ここで、図４は、かかる特開２００１−３２０２９５号公報に開示のテレビジョンチューナの要部構成を示す回路図である。
【０００４】
図４に示されるように、このテレビジョンチューナは、テレビジョン信号入力端子４１と、ＶＨＦ帯同調回路４２と、ＵＨＦ帯同調回路４３と、ＶＨＦ信号増幅用トランジスタ４４と、ＵＨＦ信号増幅用トランジスタ４５と、バンド切替回路４６と、第１スイッチングトランジスタ４７と、第２スイッチングトランジスタ４８と、ＶＨＦ信号出力端子４９と、ＵＨＦ信号出力端子５０と、ＡＧＣ電圧入力端子５１と、電源端子５２とを備えている。そして、これらの構成要素４１乃至５２及びその周辺回路素子は、図４に図示されるように相互に接続されている。
【０００５】
前記構成によるテレビジョンチューナは、概要、次のように動作する。
【０００６】
いま、このテレビジョンチューナがＶＨＦ帯ローバンド信号を処理するように切替えられるときは、バンド切替回路４６にＶＨＦ帯信号選局信号Ｓが供給され、バンド切替回路４６の端子４６Ｌだけにハイレベル電圧が出力され、そのハイレベル電圧がＶＨＦ帯同調回路４２に供給されてＶＨＦ帯同調回路４２がローバンド信号に同調される。このとき、第１スイッチングトランジスタ４７がオフ、第２スイッチングトランジスタ４８がオンになり、ＶＨＦ帯同調回路４２で選択されたローバンド信号がＶＨＦ信号増幅用トランジスタ４４で増幅され、増幅されたローバンド信号がＶＨＦ信号出力端子４９に供給される。一方、第２スイッチングトランジスタ４８のオンにより、ＵＨＦ信号増幅用トランジスタ４５はカットオフ状態になっている。
【０００７】
次に、このテレビジョンチューナがＶＨＦ帯ハイバンド信号を処理するように切替えられるときは、バンド切替回路４６にＶＨＦ帯信号選局信号Ｓが供給され、バンド切替回路４６の端子４６Ｈだけにハイレベル電圧が出力され、そのハイレベル電圧がＶＨＦ帯同調回路４２に供給されてＶＨＦ帯同調回路４２がハイバンド信号に同調される。このときも、第１スイッチングトランジスタ４７がオフ、第２スイッチングトランジスタ４８がオンになり、ＶＨＦ帯同調回路４２で選択されたハイバンド信号がＶＨＦ信号増幅用トランジスタ４４で増幅され、増幅されたハイバンド信号がＶＨＦ信号出力端子４９に供給される。一方、第２スイッチングトランジスタ４８のオンにより、ＵＨＦ信号増幅用トランジスタ４５は同じようにカットオフ状態になっている。
【０００８】
次いで、このテレビジョンチューナがＵＨＦ帯信号を処理するように切替えられるときは、バンド切替回路４６にＵＨＦ帯信号選局信号Ｓが供給され、バンド切替回路４６の端子４６Ｕだけにハイレベル電圧が出力され、そのハイレベル電圧が第１スイッチングトランジスタ４７に供給され、第１スイッチングトランジスタ４７をオンにし、第２スイッチングトランジスタ４８をオフにして、第１スイッチングトランジスタ４７をカットオフ状態にし、第２スイッチングトランジスタ４８を増幅可能状態に設定する。このとき、ＵＨＦ帯同調回路４３で選択されたＵＨＦ信号がＵＨＦ信号増幅用トランジスタ４４で増幅され、増幅されたＵＨＦ信号がＵＨＦ信号出力端子５０に供給される。一方、第１スイッチングトランジスタ４７のオンにより、ＶＨＦ信号増幅用トランジスタ４４がカットオフ状態になるので、ＶＨＦ信号は増幅されることがない。
【特許文献１】特開２００１−３２０２９５号公報
【発明の開示】
【発明が解決しようとする課題】
【０００９】
ところで、前記既知のテレビジョンチューナは、ＶＨＦ帯のテレビジョン信号を処理するＶＨＦ信号増幅用トランジスタ４４の増幅動作と、ＵＨＦ帯のテレビジョン信号を処理するＵＨＦ信号増幅用トランジスタ４５の増幅回路の動作とを切替える際に、ＶＨＦ信号増幅用トランジスタ４４の入力部分とＵＨＦ信号増幅用トランジスタ４５の入力部分に第１及び第２スイッチングトランジスタ４７、４８を含むバイアス設定回路を設けているので、その分、全体的な回路規模が大きくなり、小型化することが難しいものである。
【００１０】
本発明は、このような技術的背景に鑑みてなされたもので、その目的は、ＡＭ信号の受信とＦＭ信号の受信との切替を、入力ＦＭ放送信号レベルの自動制御回路を兼ねたＦＭ信号用可変減衰回路替回路を用いて行ったので、ＦＭ信号の全体的な回路規模が大きくなく、小型化することが可能なＡＭ及びＦＭ放送受信回路を提供することにある。
【課題を解決するための手段】
【００１１】
前記目的を達成するために、本発明によるＡＭ及びＦＭ放送受信回路は、共用アンテナで受信したＦＭ放送信号を処理して復調信号を形成するＦＭチューナ回路と、共用アンテナで受信したＡＭ放送信号を処理して復調信号を形成するＡＭチューナ回路と、ＦＭチューナ回路の前段側に接続された信号減衰回路と、信号減衰回路の信号減衰量を制御するとともに、ＦＭチューナ回路またはＡＭチューナ回路の動作非動作状態を切替える制御回路とを備え、制御回路は、ＦＭチューナ回路が動作状態にあるとき、ＦＭチューナ回路に入力されるＦＭ放送信号の信号強度が所定強度になるように信号減衰回路の信号減衰量を自動制御し、また、ＡＭチューナ回路が動作状態にあるとき、信号減衰回路の信号減衰量が最大になるように制御する構成手段を具備する。
【００１２】
この場合、前記構成手段における制御回路は、ＦＭチューナ回路が動作状態にあるとき、ＦＭチューナ回路の復調信号を整流平滑して得られた自動利得制御電圧を信号減衰回路に制御信号として供給し、ＡＭチューナ回路が動作状態にあるとき、電源電圧を信号減衰回路に制御信号として供給するものである。
【００１３】
また、前記構成手段における信号減衰回路は、ＦＭ放送信号の伝送経路と高周波的接地点との間に接続されたＰＩＮダイオードとそのＰＩＮダイオードに制御電圧を供給する制御電圧供給回路とからなるものである。
【発明の効果】
【００１４】
以上説明したように、本発明によるＡＭ及びＦＭ放送受信回路によれば、ＦＭチューナ回路またはＡＭチューナ回路の動作非動作状態を切替える制御回路を備え、この制御回路は、ＦＭチューナ回路が動作状態にあるとき、ＦＭチューナ回路に入力されるＦＭ放送信号の信号強度が所定強度になるように信号減衰回路の信号減衰量を自動制御し、また、ＡＭチューナ回路が動作状態にあるとき、信号減衰回路の信号減衰量が最大になるように制御するようにしている、すなわち、この制御回路は、入力ＦＭ放送信号レベルを自動制御する自動利得制御回路を兼ねたＦＭ、ＡＭ切替回路を構成しているので、多くの回路素子を用いることなしにＦＭ、ＡＭ切替回路を得ることができ、それにより、全体的な回路規模が大きくならず、小型化することを可能にしたＡＭ及びＦＭ放送受信回路を得ることができるという効果がある。
【発明を実施するための最良の形態】
【００１５】
以下、本発明の実施の形態を図面を参照して説明する。
【００１６】
図１は、本発明によるＡＭ及びＦＭ放送受信回路の一つの実施の形態に係るもので、その要部構成を示す回路図である。
【００１７】
図１に示されるように、この実施の形態によるＡＭ及びＦＭ放送受信回路は、共用アンテナ１と、ＡＭ信号用整合回路２と、ＡＭ信号増幅器３と、ＡＭチューナ回路４と、ＦＭ信号用可変減衰回路５と、ＦＭ信号用整合トランス回路６と、ＦＭチューナ回路７と、制御回路８と、整流・平滑回路９と、ＡＭ／ＦＭ切替回路１０と、電源切替回路１１と、ＡＭ復調信号導出端子１２と、ＦＭ復調信号導出端子１３、１３と、電源端子１４とからなっている。
【００１８】
そして、ＡＭ信号用整合回路２は、入力端が共用アンテナ１に接続され、出力端が結合コンデンサ（図番なし）を通してＡＭ信号増幅器３の入力端に接続される。ＡＭチューナ回路４は、入力端がＡＭ信号増幅器３の出力端に接続され、出力端がＡＭ復調信号導出端子１２に接続される。ＦＭ信号用可変減衰回路５は、入力端が結合コンデンサ（図番なし）を通して共用アンテナ１に接続され、出力端がＦＭ信号用整合トランス回路６の入力端に接続される。ＦＭチューナ回路７は、入力端がＦＭ信号用整合トランス回路６の出力端に接続され、出力端がＦＭ復調信号導出端子１３、１３に接続される。制御回路８は、制御電圧出力端がＦＭ信号用可変減衰回路５に接続され、切替信号供給端がＡＭ／ＦＭ切替回路１０の第１出力端に接続され、制御電圧入力端が整流・平滑回路９の出力端に接続され、電源端が電源切替回路１１の一方の出力端に接続される。整流・平滑回路９は、入力端がＦＭチューナ回路７の制御信号出力端に接続される。ＡＭ／ＦＭ切替回路１０は、第１出力端が電源切替回路１１の制御端に接続される。電源切替回路１１は、入力端が電源端子１４に接続され、一方の出力端がＡＭチューナ回路４の電源端子に接続され、他方の出力端がＦＭチューナ回路７の電源端子に接続される。
【００１９】
この場合、ＡＭ信号用整合回路２は、Ｔ型に接続された第１インダクタ２（１）と第２インダクタ２（２）と第３インダクタ２（３）とからなり、ＦＭ信号用可変減衰回路５は、入出力端間に直列接続された第１コンデンサ５（１）と第１インダクタ５（２）と第２インダクタ５（３）と第２コンデンサ５（４）と、第１インダクタ５（２）と第２インダクタ５（３）の接続点と高周波的接地点間に接続された第１ＰＩＮダイオード５（５）及び第１インダクタ５（２）と第２インダクタ５（３）の接続点と制御回路８の制御電圧出力端との間に接続された第２ＰＩＮダイオード５（６）とからなる。また、ＦＭ信号用整合トランス回路６は、一次トランス巻線６（１）とそれに並列接続されたコンデンサ６（２）と一次側トランス巻線６（１）に誘導結合された２次トランス巻線６（３）とからなる。
【００２０】
ここで、図２は、制御回路８における内部構成の一例を示す回路図である。
【００２１】
図２に示されるように、制御回路８は、制御電圧出力端８（１）と切替信号供給端８（２）と制御電圧入力端８（３）と電源端８（４）と第１スイッチ８（５）と第２スイッチ８（６）とＡＭ受信切替制御部８（７）とＦＭ受信切替制御部８（８）とからなっている。そして、第１スイッチ８（５）と第２スイッチ８（６）は、制御電圧入力端８（３）と電源端８（４）との間に直列接続され、第１スイッチ８（５）と第２スイッチ８（６）との接続点と制御電圧出力端８（１）とが接続される。切替信号供給端８（２）は、ＡＭ受信切替制御部８（７）を通して第１スイッチ８（５）の制御端に接続され、ＦＭ受信切替制御部８（８）を通して第２スイッチ８（６）の制御端に接続される。
【００２２】
前記構成を備えたこの実施の形態によるＡＭ及びＦＭ放送受信回路は、次のように動作する。
【００２３】
始めに、ＡＭ及びＦＭ放送受信回路がＡＭ放送の受信を行うように切替えられるときは、ＡＭ／ＦＭ切替回路１０がＡＭ受信切替信号を発生し、このＡＭ受信切替信号が電源切替回路１１の制御端と制御回路８の切替信号供給端８（２）に供給される。電源切替回路１１は、制御端にＡＭ受信切替信号が供給されると、そのスイッチ接点を一方の出力端側に切替え、電源端子１４に供給された電源電圧ＶｂをＡＭチューナ回路４に供給し、ＡＭチューナ回路４を動作状態にする。また、制御回路８は、切替信号供給端８（２）にＡＭ受信切替信号が供給されると、このＡＭ受信切替信号をＡＭ受信切替制御部８（７）を通して第１スイッチ８（５）に供給し、第１スイッチ８（５）をオン状態にする。このとき、電源端８（４）に供給された電源電圧は、閉じた第１スイッチ８（５）から制御電圧出力端８（１）に供給され、その後、ＦＭ信号用可変減衰回路５の第２ＰＩＮダイオード５（６）を通して第１ＰＩＮダイオード５（５）に供給され、第１ＰＩＮダイオード５（５）を導通状態に設定する。
【００２４】
このとき、共用アンテナ１で受信されたＡＭ放送信号は、ＦＭ信号用可変減衰回路５で所要量の減衰を受けたあと、ＡＭ信号用整合回路２を通り、ＡＭ信号増幅器３で増幅された後、動作状態にあるＡＭチューナ回路４に供給され、そこで周波数変換や中間周波増幅や復調処理が行われ、ＡＭ復調信号がＡＭ復調信号導出端子１２に導出される。一方、ＡＭ放送信号とともに共用アンテナ１で受信された種々の信号成分、例えばＦＭ信号成分が用可変減衰回路５に供給されるが、このときＦＭ信号用可変減衰回路５は、オン状態にある第１ＰＩＮダイオード５（５）によって最大限に減衰され、その入力インピーダンスが最低値になるので、ＡＭ放送信号に重畳するＦＭ信号成分を大幅に減衰させることができるとともに、ＦＭ信号成分が次続するＦＭチューナ回路７に供給されることがない。
【００２５】
次に、ＡＭ及びＦＭ放送受信回路がＦＭ放送の受信を行うように切替えられるときは、ＡＭ／ＦＭ切替回路１０がＦＭ受信切替信号を発生し、このＦＭ受信切替信号が電源切替回路１１の制御端と制御回路８の切替信号供給端８（２）に供給される。電源切替回路１１は、制御端にＦＭ受信切替信号が供給されると、そのスイッチ接点を他方の出力端側に切替え、電源端子１４に供給された電源電圧ＶｂをＦＭチューナ回路７に供給し、ＦＭチューナ回路７を動作状態にする。ＦＭチューナ回路７が動作状態になると、ＦＭチューナ回路７で復調されたＦＭ信号が整流・平滑回路９に供給され、整流・平滑回路９は、供給されたＦＭ信号を整流・平滑し、供給されたＦＭ信号レベルに対応した制御電圧を形成し、その制御電圧を制御回路８の制御電圧入力端８（３）に供給する。また、制御回路８は、切替信号供給端８（２）にＦＭ受信切替信号が供給されると、このＦＭ受信切替信号をＦＭ受信切替制御部８（８）を通して第２スイッチ８（６）に供給し、第２スイッチ８（６）をオン状態にする。このとき、制御電圧入力端８（３）に供給された制御電圧は、閉じた第２スイッチ８（６）から制御電圧出力端８（１）に供給され、その後、ＦＭ信号用可変減衰回路５の第２ＰＩＮダイオード５（６）を通して第１ＰＩＮダイオード５（５）に供給され、第１ＰＩＮダイオード５（５）のインピーダンス値を入力された制御電圧に対応した値に設定する。
【００２６】
この時点に、共用アンテナ１で受信されたＦＭ放送信号は、ＦＭ信号用可変減衰回路５において自動利得制御による所要量の減衰を受けたあと、ＦＭ信号用整合トランス回路６を通して動作状態にあるＦＭチューナ回路７に供給される。ＦＭチューナ回路７は、供給されたＦＭ信号に対して周波数変換や中間周波増幅や復調処理が行われ、ＦＭ復調信号がＦＭ復調信号導出端子１３、１３に導出される。このときも、ＦＭ放送信号とともに共用アンテナ１で受信された種々の信号成分、例えばＡＭ信号成分がＡＭ信号用整合回路２を通り、ＡＭ信号増幅器３で増幅された後、ＡＭチューナ回路４に供給されるが、ＡＭチューナ回路４は非動作状態にあるので、種々の信号成分がそこで阻止される。
【００２７】
また、図３は、図１に図示したＡＭ及びＦＭ放送受信回路におけるＡＭチューナ回路４に供給されるＦＭ放送信号帯域内のＦＭ信号の状態を示す特性図であって、特性曲線ａは、図１に図示したＡＭ及びＦＭ放送受信回路が有する特性曲線であり、特性曲線ｂは、比較のためにＦＭ信号用可変減衰回路５を具備しない既知のＡＭ及びＦＭ放送受信回路の特性曲線である。
【００２８】
図２において、横軸方向は１０ＭＨｚステップで表わした１０乃至１１０ＭＨｚのＦＭ信号周波数帯の周波数であり、縦軸方向は当該ＦＭ信号の電界強度であって、下にゆくほど信号減衰量が大きいことを表わすものである。なお、この図３において、ＡＭ信号帯域５２２乃至１６２９ＫＨｚは図の範囲外になり、この図には図示していない。
【００２９】
図３に示されるように、この実施の形態によるＡＭ及びＦＭ放送受信回路は、既知のこの種のＡＭ及びＦＭ放送受信回路に比べてＡＭ受信回路側に流れ込むＦＭ信号成分を減衰させることが可能になることが判る。
【００３０】
このように、この実施の形態によるＡＭ及びＦＭ放送受信回路によれば、ＦＭ信号受信とＡＭ信号受信との切替を、入力ＦＭ放送信号レベルの自動制御回路を兼ねたＦＭ信号用可変減衰回路替回路を用いて行っているので、全体的な回路規模が大きくならず、小型化が可能なＡＭ及びＦＭ放送受信回路を得ることができる。
【図面の簡単な説明】
【００３１】
【図１】本発明によるＡＭ及びＦＭ放送受信回路の一つの実施の形態に係るもので、その要部構成を示す回路図である。
【図２】制御回路における内部構成の一例を示す回路図である。
【図３】図１に図示したＡＭ及びＦＭ放送受信回路におけるＡＭチューナ回路に供給されるＦＭ放送信号帯域内のＦＭ信号の状態を示す特性図である。
【図４】特開２００１−３２０２９５号公報に開示のテレビジョンチューナの要部構成を示す回路図である。
【符号の説明】
【００３２】
１  共用アンテナ
２  ＡＭ信号用整合回路
３  ＡＭ信号増幅器
４  ＡＭチューナ回路
５  ＦＭ信号用可変減衰回路
６  ＦＭ信号用整合トランス回路
７  ＦＭチューナ回路
８  制御回路
８（１）  制御電圧出力端
８（２）  切替信号供給端
８（３）制御電圧入力端
８（４）電源端
８（５）第１スイッチ
８（６）第２スイッチ
８（７）ＡＭ受信切替制御部
８（８）ＦＭ受信切替制御部
９  整流・平滑回路
１０  ＡＭ／ＦＭ切替回路
１１  電源切替回路
１２  ＡＭ復調信号導出端子
１３  ＦＭ復調信号導出端子
１４  電源端子
【図１】
2007288500.tif 000003
【図２】
2007288500.tif 000004
【図３】
2007288500.tif 000005
【図４】
2007288500.tif 000006